(57)【要約】【課題】紙材からなるストローよりも耐久性が高く、長時間あるいは洗浄し再度使用することが可能で、しかも、空芯縦割形状部材を必要とせず、簡易的に意匠性に優れた木製ストローを提供する。【解決手段】シート状の板目木材をストロー状に成型し、耐水性の接着剤で固定することで木製ストロー１０を得る。シート状の板目木材の表面には撥水性コーティング層が設けられている。シート状の板目木材には、水捌けや耐水性、加工特性に優れた銀杏や桧等の針葉樹を用いる。木製ストロー１０の外観には、木目２を視認することができ、意匠性にも優れた環境対応の木製ストローを提供することが出来る。【選択図】図１
0003220607.tif 000002
【実用新案登録請求の範囲】
【請求項１】
シート状の板目木材と、耐水性の接着剤によって形成されていることを特徴とする木製ストロー。
【請求項２】
前記シート状の板目木材に撥水性を有するコーティング層が設けられていることを特徴とする請求項１に記載の木製ストロー。
【請求項３】
前記シート状の板目木材が針葉樹であることを特徴とする請求項１乃至２に記載の木製ストロー。
【請求項４】
前記シート状の板目木材が銀杏であることを特徴とする請求項１乃至２に記載の木製ストロー。
【請求項５】
前記シート状の板目木材が桧であることを特徴とする請求項１乃至２に記載の木製ストロー。
【考案の詳細な説明】
【技術分野】
【０００１】
本考案は、木製ストローに関するものである。
【背景技術】
【０００２】
近年における環境問題への関心の高まりから、廃棄あるいはリサイクルが容易に行なえる製品の普及が様々な分野において求められている。従来のストローは、プラスチック樹脂を管状に押し出して形成されていた。しかし、プラスチック樹脂からなるストローは、環境保護の観点から埋め立てにより廃棄することは好ましくなく、また、焼却処理も燃焼エネルギーが大きく好ましいものではなかった。
【０００３】
そこで、近年、廃棄処分の環境への影響が少なく、プラスチック樹脂からなるストローの代替品として特許文献１に記載のような紙材からなるストローがある。この紙材からなるストローは、耐水性が付与された長方形の裁断紙をストロー形状に成型するというものである。
【０００４】
一方、特許文献２に記載のストローには、ストローの穴部分を確実に洗浄し再度使用可能且つ、環境への影響を鑑みた木材や木材プラスチック、竹等の材料からなるストローが記載されている。このストローでは、空芯縦割形状部材からなり二つの嵌合で嵌合及び分離可能な形状であり、直接洗浄道具を確実に当てること可能であるというものである。
【先行技術文献】
【特許文献】
【０００５】
【特許文献１】特開２００９−２３３３４８公報
【特許文献２】特開２０１４−１５５５２４公報
【考案の概要】
【考案が解決しようとする課題】
【０００６】
特許文献１に記載されているストローのように、紙材からなるストローは耐久性が不十分であり、長時間使用することで浸水が発生することや、再度洗浄して使用することは耐久性の観点から難しく、使い捨て用途での使用をせざるを得なかった。
【０００７】
一方、特許文献２のように、洗浄しやすい構造のストローを環境への影響が小さい材料で成型することで、長時間の利用が可能且つ、再度洗浄し利用することが可能となっている。ところが、このストローは空芯縦割形状部材を必要とし、加工や成型の工程が増えざるを得なかった。
【０００８】
また２種類の空芯縦割形状部材を嵌合してストローとするため、繋ぎ目が見えてしまい外観の意匠性を損なうことが避けられない。
【０００９】
そこで本考案は、上述の課題を解消すべく案出されたもので、紙材からなるストローよりも耐久性が高く、長時間あるいは洗浄し再度使用することが可能で、しかも、空芯縦割形状部材を必要とせず、意匠性に優れた木製ストローを簡易的に提供することを目的とするものである。
【課題を解決するための手段】
【００１０】
請求項１に係る本考案は、シート状の板目木材と、耐水性の接着剤によって形成されていることを特徴とする木製ストローを提供するものである。
【００１１】
また、請求項２にかかる考案は、シート状の板目木材に撥水性を有するコーティング層が設けられていることを特徴とする請求項１に記載の木製ストローを提供するものである。
【００１２】
また、請求項３に係る考案は、シート状の板目木材が針葉樹であることを特徴とする請求項１乃至２に記載の木製ストローを提供するものである。
【００１３】
また、請求項４に係る考案は、シート状の板目木材が銀杏であることを特徴とする請求項１乃至２に記載の木製ストローを提供するものである。
【００１４】
また、請求項５に係る考案は、シート状の板目木材が桧であることを特徴とする請求項１乃至２に記載の木製ストローを提供するものである。
【考案の効果】
【００１５】
本考案によれば、環境への影響が少なく、長時間の使用や、再度使用が可能であり、外観の意匠性に優れたストローを提供することができる。また、板目の木材は、柾目のものと比べて低価格であり反り易いことから、低コストで簡易的にストロー形状に成型することができる。さらに、廃棄処分されることが多い端材からシート状の板目木材を得ることが可能であり、資源再利用の効率性を高めることに寄与する。
【００１６】
また、銀杏や桧をはじめとする針葉樹は水捌けが良く、かつ広葉樹に比べて柔らかく加工特性に優れているため、簡易的に木製ストローへ成型することが可能となる。加えて、日本国内においては針葉樹が占める人工林の割合が広葉樹に比べて圧倒的に多く、間伐材等を活用することで、資源再利用の効率性を高めることに寄与する。
【図面の簡単な説明】
【００１７】
【図１】本実施形態に係る木製ストローの斜視図である。
【図２】本実施形態に係る木製ストローの成型に用いるシート状の板目木材の正面図である。
【図３】本実施形態に係る木製ストローの成型に用いるシート状の板目木材の断面図である。
【００１８】
以下、本考案を実施するための好適な実施形態について、図面を用いて説明する。なお、以下の実施形態は、各請求項に係る考案を限定するものではなく、また、実施形態の中で説明されている特長の組み合わせの全てが考案の解決手段に必須であるとは限らない。
【００１９】
図１は本実施形態に係る木製ストローの斜視図である。また、図２は、図１で示した木製ストローの成型に用いるシート状の板目木材の正面図である。
【００２０】
本実施形態に係る木製ストロー１０は、撥水性を有する木材によって構成されており、図３に示すように、複数の部材が積層されたとして構成されている。この積層部材の中心に位置するのはシート状の板目木材１１であり、積層部材として構成される木製ストロー１０の５０％以上を占める部材である。シート状の板目木材１１が５０％以上の比率を占めることにより、本実施形態に係る木製ストロー１０は、可燃ゴミとして廃棄できるようになる。
【００２１】
成型を行うにあたって、シート状の板目木材１１の厚さが０．１ｍｍ以上、０．５ｍｍ以下であると、屈曲性と耐久性の観点から好ましい。
【００２２】
シート状の板目木材の両面には、木材との密着性に優れた樹脂であるウレタン化アルキドの溶液を塗工し乾燥させることで、撥水性コーティング層４が積層されている。
【００２３】
なお、本実施形態に係る木製ストロー１０では、接着剤として耐水性と無毒性の観点から架橋型ポリビニルアセテート樹脂が使用されているが、全構成材料に対する比率が低いために、本実施形態に係る木製ストロー１０は、可燃ゴミとして廃棄することが可能である。
【符号の説明】
【００２４】
１０  木製ストロー
１１  シート状の板目木材
２    木目
３    糊代
４    撥水性コーティング層
【図１】
0003220607.tif 000003
【図２】
0003220607.tif 000004
【図３】
0003220607.tif 000005